(57)【要約】      （修正有）【課題】プラスムービーオート撮影時、ブラックアウト期間を短縮可能で実際には動画像として記録しないライブ画像を表示しない撮像装置を提供する。【解決手段】被写体を撮影する撮像手段と、撮像手段により撮像した画像を表示する表示手段と、表示手段にライブ画像を表示するライブ画像表示手段と、撮影を指示する撮影指示手段と、撮像手段により撮像した画像を動画像として記録する動画撮影手段と、撮像手段により撮像した画像を静止画として記録する静止画撮影手段と、静止画撮影手段により撮影した静止画像を撮影直後に表示手段に表示するレビュー表示手段と、制御部とを備える。制御部は、撮影指示手段により撮影を指示されたときは、表示手段にライブ画像の更新を停止し、動画撮影手段により撮影指示前に撮影された動画像を記録し、静止画撮影手段により静止画を撮影し、表示手段をブラックアウトしてから、レビュー表示手段によりレビュー画像を表示する【選択図】図８
2019087954.tif 000002
【特許請求の範囲】
【請求項１】
被写体を撮影する撮像手段と、
前記撮像手段により撮像した画像を表示する表示手段と、
前記表示手段にライブ画像を表示するライブ画像表示手段と、
撮影を指示する撮影指示手段と、
前記撮像手段により撮像した画像を動画像として記録する動画撮影手段と、
前記撮像手段により撮像した画像を静止画として記録する静止画撮影手段と、
前記静止画撮影手段により撮影した静止画像を撮影直後に前記表示手段に表示するレビュー表示手段と、制御部とを備え、
前記制御部は、前記撮影指示手段により撮影を指示されたときは、前記表示手段にライブ画像の更新を停止し、前記動画撮影手段により撮影指示前に撮影された動画像を記録し、前記静止画撮影手段により静止画を撮影し、前記表示手段をブラックアウトしてから、前記レビュー表示手段によりレビュー画像を表示することを特徴とする撮像装置。
【請求項２】
前記表示手段にライブ画像の更新を停止すると同時に、
前記表示手段に処理中であることを示す表示をおこなうことを特徴とする請求項１に記載の撮像装置。
【請求項３】
前記レビュー表示手段にレビューを表示するかどうかを設定するレビュー設定手段を備え、
前記レビュー設定手段によりレビューをしないように設定されているときは、
前記表示手段をブラックアウトせずにライブ画像表示を行うことを特徴とする請求項１または２に記載の撮像装置。
【発明の詳細な説明】
【技術分野】
【０００１】
本発明は、デジタルカメラなどの撮像装置に関し、特に動画を撮影しながら静止画を撮影することができる撮像装置に関するものである。
【背景技術】
【０００２】
従来、特定の撮影モード（以下プラスムービーオートモードと呼ぶ）において、静止画記録の指示が入力されたことに応じて静止画の記録を行うとともに、その指示が入力されるより前の所定秒数の動画を同時に記録する撮像装置が知られている。たとえば特許文献１では、静止画記録の指示が行われると、まず画面をブラックアウトし、撮影した動画の書き込みと静止画の撮影処理が完了するまでは、画面に画像が表示されないものが開示されている。
【０００３】
上述のブラックアウトを回避するために、たとえば特許文献２では、静止画記録の指示が行われてからもライブ画像を表示するものが開示されている。
【先行技術文献】
【特許文献】
【０００４】
【特許文献１】特開２００６−３４５４８５号公報
【特許文献２】特開２０１０−２７３１８２号公報
【発明の概要】
【発明が解決しようとする課題】
【０００５】
しかしながら、上述の特許文献１に開示された従来技術では、ブラックアウト期間が長くなる。上述の特許文献２に開示された従来技術では、実際には動画像として記録されないライブ画像が表示され、撮像装置の使用者の誤解を招く可能性がある。
【０００６】
そこで本発明の目的は、プラスムービーオート撮影時、ブラックアウト期間を短縮可能で、かつ実際には動画像として記録されないライブ画像を表示しない撮像装置を提供することである。
【課題を解決するための手段】
【０００７】
上記目的を達成するために、本発明は、写体を撮影する撮像手段と、前記撮像手段により撮像した画像を表示する表示手段と、前記表示手段にライブ画像を表示するライブ画像表示手段と、撮影を指示する撮影指示手段と、前記撮像手段により撮像した画像を動画像として記録する動画撮影手段と、前記撮像手段により撮像した画像を静止画として記録する静止画撮影手段と、前記静止画撮影手段により撮影した静止画像を撮影直後に前記表示手段に表示するレビュー表示手段と、制御部とを備え、前記制御部は、前記撮影指示手段により撮影を指示されたときは、前記表示手段にライブ画像の更新を停止し、前記動画撮影手段により撮影指示前に撮影された動画像を記録し、前記静止画撮影手段により静止画を撮影し、前記表示手段をブラックアウトしてから、前記レビュー表示手段によりレビュー画像を表示することを特徴とする。
【発明の効果】
【０００８】
本発明によれば、ブラックアウト期間を短縮可能で、かつ動画像として記録されることのないライブ画像は表示しないことにより、ユーザの勘違いを防止することのできる撮像装置を提供することができる。
【図面の簡単な説明】
【０００９】
【図１】実施形態による撮像装置の一例としてのデジタルカメラの外観図である。
【図２】実施形態によるデジタルカメラの構成を示すブロック図である。
【図３】デジタルカメラ１００の一実施例による撮影処理を示すフローチャートである。
【図４】デジタルカメラ１００の一実施例による静止画撮影処理を示すフローチャートである。
【図５】デジタルカメラ１００の一実施例によるＰＭＡ撮影処理を示すフローチャートである。
【図６】デジタルカメラ１００の一実施例による処理中の表示を示す図である。
【図７】デジタルカメラ１００の一実施例による静止画撮影時の画面遷移を示す図である。
【図８】デジタルカメラ１００の一実施例によるＰＭＡ撮影時の画面遷移を示す図である。
【発明を実施するための形態】
【００１０】
以下、添付の図面を参照して本発明の好適な実施形態について説明する。尚、以下に説明する実施形態では、本発明による装置、方法を静止画像と動画との撮影が可能なデジタルカメラである撮像装置に適用した場合を例にして説明する。
【００１１】
［デジタルカメラの構成について］
図１は実施形態によるデジタルカメラの外観図である。図１において、２８は表示部であり、画像や各種情報を表示する。７２は電源スイッチであり、電源オン、電源オフを切り替える。６１はシャッターボタンである。６０はモード切替スイッチであり、デジタルカメラ１００における各種モードを切り替える。より具体的には、静止画記録モード、動画記録モード、パノラマ撮影モード、再生モード等のモードの切り替えが可能である。１１１は接続ケーブルであり、デジタルカメラ１００と外部機器を接続する。１１２はコネクタであり、接続ケーブル１１１とデジタルカメラ１００とを接続する。
【００１２】
７０は操作部であり、ユーザからの各種操作を受け付ける。操作部７０は図示の各種ボタンや、画像表示部２８の画面上に設けられたタッチパネル等の操作部材を有する。操作部７０の各種ボタンとは、具体的に例示すると、消去ボタン、メニューボタン、ＳＥＴボタン、十字に配置された４方向ボタン（上ボタン、下ボタン、右ボタン、左ボタン）、ホイール７３等である。２００はメモリカードやハードディスク等の記録媒体である。
【００１３】
２０１は記録媒体スロットであり、記録媒体２００を格納する。記録媒体スロット２０１に格納された記録媒体２００は、デジタルカメラ１００との通信が可能となる。２０２は記録媒体スロット２０１の蓋である。
【００１４】
図２は、本実施形態によるデジタルカメラ１００の構成例を示すブロック図である。図２において、１０３は撮影レンズ、１０１は絞り機能を備えるシャッター、２２は光学像を電気信号に変換するＣＣＤやＣＭＯＳ素子等で構成される撮像部である。２３はＡ／Ｄ変換器であり、アナログ信号をデジタル信号に変換する。Ａ／Ｄ変換器２３は、撮像部２２から出力されるアナログ信号をデジタル信号に変換する場合や、音声制御部１１から出力されるアナログ信号をデジタル信号に変換する場合に用いられる。
【００１５】
１０２はバリアであり、デジタルカメラ１００の、レンズ１０３を含む撮像部を覆うことにより、撮影レンズ１０３、シャッター１０１、撮像部２２を含む撮像系の汚れや破損を防止する。１２はタイミング発生部であり、撮像部２２、音声制御部１１、Ａ／Ｄ変換器２３、Ｄ／Ａ変換器１３にクロック信号や制御信号を供給する。タイミング発生部１２は、メモリ制御部１５及びシステム制御部５０により制御される。２４は画像処理部であり、Ａ／Ｄ変換器２３からのデータ、又は、メモリ制御部１５からのデータに対し所定の画素補間、縮小といったリサイズ処理や色変換処理を行う。
【００１６】
また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１７】
Ａ／Ｄ変換器２３からの出力データは、画像処理部２４及びメモリ制御部１５を介して、或いは、直接メモリ制御部１５を介して、メモリ３２に書き込まれる。メモリ３２は、撮像部２２によって得られＡ／Ｄ変換器２３によりデジタルデータに変換された画像データや、画像表示部２８に表示するための画像データを格納する。尚、メモリ３２は、マイク１０において録音された音声データ、静止画像、動画像および画像ファイルを構成する場合のファイルヘッダを格納するのにも用いられる。従って、メモリ３２は、所定枚数の静止画像や所定時間の動画像および音声を格納するのに十分な記憶容量を備えている。
【００１８】
圧縮／伸張部１６は、適応離散コサイン変換（ＡＤＣＴ）等により画像データを圧縮、伸張する。圧縮／伸張部１６は、シャッター１０１をトリガにしてメモリ３２に格納された撮影画像を読み込んで圧縮処理を行い、処理を終えたデータをメモリ３２に書き込む。また、記録媒体２００の記録部１９などからメモリ３２に読み込まれた圧縮画像に対して伸張処理を行い、処理を終えたデータをメモリ３２に書き込む。圧縮／伸張部１６によりメモリ３２に書き込まれた画像データは、システム制御部５０のファイル部においてファイル化され、インターフェース１８を介して記録媒体２００に記録される。
【００１９】
また、メモリ３２は画像表示用のメモリ（ビデオメモリ）を兼ねている。１３はＤ／Ａ変換器であり、メモリ３２に格納されている画像表示用のデータをアナログ信号に変換して画像表示部２８に供給する。２８は画像表示部であり、ＬＣＤ等の表示器上に、Ａ／Ｄ変換器２３からのアナログ信号に応じた表示を行う。こうして、メモリ３２に書き込まれた表示用の画像データはＤ／Ａ変換器１３を介して画像表示部２８により表示される。
【００２０】
１０はマイクである。マイク１０から出力された音声信号は、アンプ等で構成される音声制御部１１を介してＡ／Ｄ変換器２３に供給され、Ａ／Ｄ変換器２３においてデジタル信号に変換された後、メモリ制御部１５によってメモリ３２に格納される。一方、記録媒体２００に記録されている音声データは、メモリ３２に読み込まれた後、Ｄ／Ａ変換器１３によりアナログ信号に変換される。音声制御部１１は、このアナログ信号によりスピーカ３９を駆動し、音声出力する。
【００２１】
不揮発性メモリ５６は電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２２】
５０はシステム制御部であり、デジタルカメラ１００全体を制御する。システム制御部５０は、上述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。モード切替スイッチ６０、第１シャッタースイッチ６２、第２シャッタースイッチ６４、操作部７０はシステム制御部５０に各種の動作指示を入力するための操作手段である。
【００２３】
モード切替スイッチ６０は、システム制御部５０の動作モードを静止画記録モード、動画記録モード、プラスムービーオート（以下、ＰＭＡと略）撮影モード、再生モード等のいずれかに切り替えることができる。第１シャッタースイッチ６２は、デジタルカメラ１００に設けられたシャッターボタン６１の操作途中（半押し）でＯＮとなり第１シャッタースイッチ信号ＳＷ１を発生する。システム制御部５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２４】
第２シャッタースイッチ６４は、シャッターボタン６１の操作完了（全押し）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２５】
操作部７０の各操作部材は、画像表示部２８に表示される種々の機能アイコンを選択操作することなどにより、場面ごとに適宜機能が割り当てられ、各種機能ボタンとして作用する。機能ボタンとしては例えば終了ボタン、戻るボタン、画像送りボタン、ジャンプボタン、絞込みボタン、属性変更ボタン等がある。例えば、メニューボタンが押されると各種設定が可能なメニュー画面が画像表示部２８に表示される。利用者は、画像表示部２８に表示されたメニュー画面と、４方向ボタンやＳＥＴボタンとを用いて直感的に各種設定を行うことができる。電源スイッチ７２は、電源オン、電源オフを切り替える。
【００２６】
８０は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２７】
３０は電源部であり、アルカリ電池やリチウム電池等の一次電池やＮｉＣｄ電池やＮｉＭＨ電池、Ｌｉ電池等の二次電池、ＡＣアダプター等からなる。３３及び３４はコネクタであり、電源部３０と電源制御部８０とを接続する。４０は姿勢検出部であり、たとえば加速度センサ／角速度センサなどから構成される。この姿勢検出部４０は、デジタルカメラ１００の姿勢や移動方向を検出する。
【００２８】
１８はメモリカードやハードディスク等の記録媒体２００とのインターフェースである。３５は該記録媒体２００とインターフェース１８との接続のためのコネクタである。９８は記録媒体着脱検知部であり、コネクタ３５に記録媒体２００が装着されているか否かを検知する。
【００２９】
２００はメモリカードやハードディスク等の記録媒体である。記録媒体２００は、半導体メモリや磁気ディスク等から構成される記録部１９、デジタルカメラ１００とのインターフェース３７、及び、記録媒体２００とデジタルカメラ１００とを接続するためのコネクタ３６を備えている。通信部１１０は、ＲＳ２３２ＣやＵＳＢ、ＩＥＥＥ１３９４、Ｐ１２８４、ＳＣＳＩ、モデム、ＬＡＮ、無線通信、等の各種通信処理を行う。コネクタ（無線通信の場合はアンテナ）１１２は、通信部１１０を介してデジタルカメラ１００を他の機器と接続する。
【００３０】
以下、図３から図７を参照して、本発明の一実施例による、撮像装置について説明する。
【００３１】
［撮影処理について］
図３は一実施例における撮影処理を示すフローチャートである。システム制御回路５０は、撮影モードで起動したときにはライブ表示を行う（Ｓ３０１）。ライブ表示は、画像表示部２８に撮像部２２から読みだした画像データを表示し続けることによって行う。
【００３２】
つぎにシステム制御回路５０はユーザ操作などのイベントを判定し（Ｓ３０２）、デジタルカメラ１００の使用者が、シャッターボタン６１を押下して撮影指示を行った場合は、Ｓ３０３に進む。
【００３３】
システム制御部５０は、Ｓ３０３で撮影モードを判定し、影モードがＰＭＡモードではないときは、システム制御部５０は静止画撮影処理（Ｓ３０４）に進み、ＰＭＡモードのときはＰＭＡ撮影処理（Ｓ３０５）に進む。Ｓ３０４の静止画撮影処理の詳細は図４を、Ｓ３０５のＰＭＡ撮影処理の詳細は図５を参照して後述する。
【００３４】
一方、Ｓ３０２でシステム制御回路は撮影モードがＰＭＡモードに変わったことを検出した時は、Ｓ３０６に進み動画像の記録を開始する。このとき記録した動画像は記録部１９には書き込まず、所定の秒数分をメモリ３２に保存する。ＰＭＡモードでは動画像を記録し続け、所定秒数（たとえば４秒）を超えたものは上書きされる。つまり直近の所定秒数分の動画像が保存される。
【００３５】
一方、Ｓ３０２でシステム制御回路は終了イベントを受け取ったときは、撮影処理を終了する。終了イベントとしては、電源オフや再生モードへの移行などがある。
【００３６】
［静止画撮影処理について］
図４は一実施例における静止画撮影処理を示すフローチャートである。システム制御回路５０は、まずライブを停止する（Ｓ４０１）。ライブを停止すると表示部２８には、停止する直前に表示したライブ画像が止まったまま表示される。つぎに撮像部２２からのデータを読み出す露光読み出しを行う（Ｓ４０２）。
【００３７】
Ｓ４０２の露光読み出しが終わると、撮像部２２の記録処理は終わりであるから、撮像部２２をライブ表示用に起動しライブ準備を行う（Ｓ４０３）。このときシステム制御部５０は、画像処理部２４を介して、同時にＳ４０２で読み出した画像の現像処理を行う。この現像とは色調補正処理などの処理のことである。
【００３８】
つぎにシステム制御部５０はライブ表示を行い（Ｓ４０４）、現像完了を待つ（Ｓ４０５）。その後、現像が完了すると、現像した画像をＪＰＥＧ形式などで圧縮する（Ｓ４０６）。
【００３９】
つぎにシステム制御回路５０は、デジタルカメラ１００の使用者が撮影後に撮影した画像を表示部２８に表示するレックレビューを表示するように設定したかどうかを判定する（Ｓ４０７）。このレックレビューの表示設定は、デジタルカメラ１００の使用者が操作部７０を操作して、メニューなどを表示することによって設定することができる。Ｓ４０７でレックレビュー設定なしと判定した時は、システム制御部５０は静止画撮影処理を終了する。その際、Ｓ４０４でライブ画像を表示していることから、表示部２８にはライブ画像が表示されている。
【００４０】
一方、Ｓ４０７でシステム制御部５０はレックレビューを表示すると判定したときは、まず画像表示部２８をブラックアウトし（Ｓ４０８）、レックレビュー表示を行う（Ｓ４０９）。このＳ４０９で表示する画像は、Ｓ４０５で現像した画像である。所定時間（たとえば２秒など）、レックレビューを表示した後、システム制御部５０はライブ表示を行って（Ｓ４１０）、静止画撮影処理を終了する。
【００４１】
［ＰＭＡ撮影処理について］
図５は一実施例におけるＰＭＡ撮影処理を示すフローチャートである。システム制御回路５０は、まずライブを停止し（Ｓ５０１）、画像表示部２８にデジタルカメラ１００が処理中であることを示すために処理中表示を行う（Ｓ５０２）。図６は処理中を表示している画面の一例である。６０１は処理中の表示、６０２はライブを停止していた時に最後に表示されていた画像である。
【００４２】
つぎにシステム制御回路５０は、Ｓ５０３に進み、露光読み出しと動画像の書き込みを開始する。露光読み出し処理は図４のＳ４０２と同じ処理であり、静止画像作成のために撮像部２２からのデータを読み出す。動画像書き込みは、図３のＳ３０６で撮影してメモリ３２に保存しておいた数秒分の動画像を記録部１９への書き込みを開始する。
【００４３】
つぎにシステム制御回路５０はＳ５０４に進み、現像を開始する。この現像処理は図４のＳ４０３と同じであり、静止画像作成のための現像である。この現像処理が完了（Ｓ５０５）すると作成した静止画像の圧縮処理を行う（Ｓ５０６）。
【００４４】
つぎにシステム制御部５０は、ストップモーションを作成する（Ｓ５０７）。静止画撮影時には、静止画用のデジタル画像信号の処理が行われ、動画用のデジタル画像信号の処理が行われない。そこで、システム制御部５０は、この間の動画データとして、静止画データを使用する。
【００４５】
つぎにシステム制御回路５０はＳ５０７で作成したストップモーションを所定秒数の動画像データとして符号化し圧縮し（Ｓ５０８）、記録部１９へ書き込む（Ｓ５０９）。このＳ５０９では、まずＳ５０３で書き込みを開始した動画像データの書き込みが完了しているかを判定し、完了を待ってからＳ５０７で作成したストップモーションを書き込む。そしてＳ５０９で動画像データの書き込みが終わると、システム制御回路５０はＳ５０６で作成した静止画像を圧縮したデータを記録部１９へ書き込む。
【００４６】
つぎにシステム制御回路５０はＳ５１１に進み、レックレビューの有り無し設定を調べる。レックレビューの有り無しは、デジタルカメラ１００の使用者が操作部７０を操作してメニューなどを表示することによって設定することが可能である。Ｓ５１１でレックレビュー有りと判定した時は、表示部２８をブラックアウトして（Ｓ５１２）、レックレビューを所定時間表示して（Ｓ５１２）、最後にライブ表示を行って（Ｓ５１４）、処理を終了する。一方、Ｓ５１１でレックレビュー無しのときは、システム制御回路５０は、Ｓ５１４に進みライブ表示を行う。
【００４７】
［画面の状態遷移について］
図７、図８を用いて一実施例における画面の遷移を説明する。図７は静止画撮影時の画面遷移を説明する図であり、図７の（ａ）はレックレビュー有りの、図７の（ｂ）はレックレビュー無しのときの画面遷移を示している。図７の（ａ）で、デジタルカメラ１００の使用者がシャッターボタン６１を全押ししてＳＷ２イベントを発生させると、画像表示部２８にはＳＷ２イベントが発生する直前に表示されていたライブ画像が表示される。この処理は図４のＳ４０１に相当する処理である。その後、図４のＳ４０４でライブ準備が完了したら、Ｓ４０５の現像が完了する前にライブ表示を行う。
【００４８】
図７の（ｂ）では、Ｓ４０５の現像が完了する前にライブ表示を行うまでは図７の（ａ）で説明したレックレビュー無しのときの画面遷移と同じである。レックレビュー有りのときは、図４のＳ４０６で画像圧縮が完了するとブラックアウトを行い、レビュー画像を作成してレックレビューを表示する。
【００４９】
以上説明したように、静止画撮影では現像や圧縮処理をしている最中に、デジタルカメラ１００の使用者が、つぎの撮影に素早く備えることができるようにライブ画像を表示している。さらにレックレビュー表示時のブラックアウト期間を短くすることができる。
【００５０】
図８はＰＭＡ撮影時の画面遷移を説明する図であり、図８の（ａ）はレックレビュー有りの、図８の（ｂ）はレックレビュー無しのときの画面遷移を示している。図８の（ａ）で、デジタルカメラ１００の使用者がシャッターボタン６１を全押ししてＳＷ２イベントを発生させると、画像表示部２８にはＳＷ２イベントが発生する直前に表示されていたライブ画像が表示されるとともに、「処理中」メッセージが同時に表示される。この処理は図５のＳ５０１に相当する処理であり、その時の表示部２８の表示は図６のようになる。その後、図５のＳ５１０で静止画書き込みが完了したら、Ｓ５１４でライブ表示を行う。
【００５１】
図８の（ｂ）では、図５のＳ５１０で静止画書き込みが完了までは図８の（ａ）で説明したレックレビュー無しのときの画面遷移と同じである。レックレビュー有りのときは、静止画書き込みが完了するとブラックアウトを行い（図５のＳ５１２）、レックレビューを表示し（図５のＳ５１２）、最後にライブ表示（図５のＳ５１４）を行う。
【００５２】
以上説明したように、ＰＭＡ撮影ではＳＷ２イベントが発生してから、撮影処理が完了するまではライブ画像を表示しない。またＰＭＡ撮影ではＳＷ２イベントが発生してから、撮影処理が完了するまでは撮像部２２から読み出したデータを動画像として記録しないことから、ライブ画像に動画として記録されない動画像が表示されることはない。また通常の静止画撮影と同様に、レックレビュー表示時のブラックアウト期間を短縮することができる。
【００５３】
以上、本発明の好ましい実施形態について説明したが、本発明はこれらの実施形態に限定されず、その要旨の範囲内で種々の変形及び変更が可能である。
【符号の説明】
【００５４】
２８  表示部      ７２  電源スイッチ      ６１  シャッターボタン
６０  モード切替スイッチ
【図１】
2019087954.tif 000003
【図２】
2019087954.tif 000004
【図３】
2019087954.tif 000005
【図４】
2019087954.tif 000006
【図５】
2019087954.tif 000007
【図６】
2019087954.tif 000008
【図７】
2019087954.tif 000009
【図８】
2019087954.tif 000010